(57)【要約】【課題】専用のコントローラや電話回線を必要とせず、手間と費用がかからず、手軽に遠隔操作を行うことができる空気調和機を提供する。【解決手段】あらかじめ登録した固定電話１２や携帯電話１３の着信音を認識すると指令を発する音声認識装置９と、前記音声認識装置９からの前記指令を受けて、空気調和機１１の運転の開始又は／及び停止を行う空調制御装置１０を備えたもので、前記空気調和機１１の近傍に置いた固定電話１２あるいは携帯電話１３に、外出先等から電話するだけで、空気調和機３の運転の開始又は／及び停止が簡単にできる。【選択図】図１
2006200810.tif 000002
【特許請求の範囲】
【請求項１】
あらかじめ登録した電話の着信音を認識すると指令を発する音声認識装置と、前記音声認識装置からの前記指令を受けて、空気調和機の運転の開始又は／及び停止を行う空調制御装置を備えた空気調和機。
【請求項２】
音声認識装置が、あらかじめ登録した電話の着信音を認識する都度、空調制御装置で空気調和機の運転の開始と停止を交互に行う請求項１に記載の空気調和機。
【請求項３】
音声認識装置が、あらかじめ登録した電話の着信音を認識し、かつ、前記電話の着信音が所定の時間内に所定の回数鳴った場合のみ、空調制御装置で空気調和機の運転の開始又は／及び停止を行うようにした請求項１又は２に記載の空気調和機。
【請求項４】
音声認識装置を内蔵したワイヤードリモコンを備え、前記音声認識装置の指令を前記ワイヤードリモコンを通じて空調制御装置に送信する請求項１〜３のいずれか１項に記載の空気調和機。
【請求項５】
音声認識装置を内蔵したワイヤレスリモコンを備え、前記音声認識装置の指令を前記ワイヤレスリモコンを通じて空調制御装置に送信する請求項１〜３のいずれか１項に記載の空気調和機。
【発明の詳細な説明】
【技術分野】
【０００１】
本発明は、空気調和機に関し、特に音声認識装置を利用して遠隔操作することができる空気調和機に関するものである。
【背景技術】
【０００２】
従来、この種の空気調和機は、ユーザーの声音を認識する音声認識装置と、前記音声認識装置により認識された内容に基づいて空気調和機を制御する空調制御装置を備えており、ユーザーの声音による指令で空気調和機を遠隔操作していた（例えば、特許文献１参照）。
【０００３】
また、他の従来の空気調和機として、コントローラと、前記コントローラと電話回線でつながった受信装置と、前記受信装置により認識された内容に基づいて制御する空調制御装置を備え、外出先等から遠隔操作ができるようにした空気調和機もある（例えば、特許文献２参照）。
【０００４】
図６は、上記特許文献１に記載された、従来の空気調和機の制御システムの構成図を示すものである。図６に示すように、空気調和機３は、ユーザーの声音を認識する音声認識装置１と、前記音声認識装置１により認識された内容に基づいて制御する空調制御装置２を備え、ユーザーの声音による指令で空気調和機３を操作するようになっている。
【０００５】
また、図７は、特許文献２に記載された、従来の空気調和機の制御システムの構成図を示すもので、空気調和機８は、コントローラ４と、前記コントローラ４と電話回線５でつながった受信装置６と、前記受信装置６により認識された内容に基づいて制御する空調制御装置７を備え、外出先等から空気調和機８を遠隔操作ができるようになっている。
【特許文献１】特開２０００−１６１７４６号公報
【特許文献２】特開平１０−９３６６５号公報
【発明の開示】
【発明が解決しようとする課題】
【０００６】
しかしながら、特許文献１に開示されたような従来の空気調和機３の構成では、音声認識装置１は、ユーザーの声音による指令が必要で、また、特許文献２に開示されたような従来の空気調和機８の構成では、コントローラ４と電話回線５が必要であり、音声認識装置を利用した遠隔操作という組み合わせはなく、遠隔操作には、専用のコントローラと電話回線が必要であり、手間と費用がかかるため、手軽に遠隔操作を行うことができないという課題を有していた。
【０００７】
本発明は、前記従来の課題を解決するもので、専用のコントローラや電話回線を用いることなく、安価にしかも、手軽に遠隔操作を行うことができる空気調和機を提供することを目的とする。
【課題を解決するための手段】
【０００８】
前記従来の課題を解決するために、本発明の空気調和機は、あらかじめ登録した電話の着信音を認識すると指令を発する音声認識装置と、前記音声認識装置からの前記指令を受けて、空気調和機の運転の開始又は／及び停止を行う空調制御装置を備えたもので、前記空気調和機の近傍に置いた固定電話あるいは携帯電話に、外出先等から電話するだけで、空気調和機の運転開始又は／及び運転停止が簡単にできる。
【発明の効果】
【０００９】
本発明の空気調和機は、専用のコントローラや電話回線が不要で、手間と費用がかからず、手軽に遠隔操作を行うことができる。
【発明を実施するための最良の形態】
【００１０】
第１の発明は、あらかじめ登録した電話の着信音を認識すると指令を発する音声認識装置と、前記音声認識装置からの前記指令を受けて、空気調和機の運転の開始又は／及び停止を行う空調制御装置を備えたもので、前記空気調和機の近傍に置いた固定電話あるいは携帯電話に、外出先等から電話するだけで、空気調和機の運転開始又は／及び運転停止が簡単にできる。
【００１１】
第２の発明は、特に、第１の発明の音声認識装置が、あらかじめ登録した電話の着信音を認識する都度、空調制御装置で空気調和機の運転の開始と停止を交互に行うようにしたもので、空気調和機の近傍においた固定電話あるいは携帯電話に、外出先等から電話するだけで、空気調和機の運転開始と停止が簡単にできる。
【００１２】
第３の発明は、特に、第１又は第２の発明の音声認識装置が、あらかじめ登録した電話の着信音を認識し、かつ、前記電話の着信音が所定の時間内に所定の回数鳴った場合のみ、空調制御装置で空気調和機の運転の開始又は／及び停止を行うようにしたもので、空気調和機の近傍においた固定電話あるいは携帯電話に、外出先等から電話して、所定の時間に、所定回数鳴らすようにするだけで、空気調和機の運転開始又は／及び運転停止を確実に行えると共に、他人から上記電話に不用意にかかってきた時の着信音で空気調和機の運転が開始したり停止することがない。
【００１３】
第４の発明は、特に、第１〜３のいずれか１つの発明の音声認識装置を内蔵したワイヤードリモコンを備え、前記音声認識装置の指令を前記ワイヤードリモコンを通じて空調制御装置に送信するもので、手近なところにあるワイヤードリモコンの近傍に固定電話あるいは携帯電話を置き、それらに外出先等から電話するだけで、空気調和機の運転開始又は／及び運転停止をすることができる。
【００１４】
第５の発明は、特に、第１〜３のいずれか１つの発明の音声認識装置を内蔵したワイヤレスリモコンを備え、前記音声認識装置の指令を前記ワイヤレスリモコンを通じて空調制御装置に送信するもので、ワイヤレスリモコンを、固定電話あるいは携帯電話のそばに置き、外出先等から固定電話あるいは携帯電話を鳴らすことで、空気調和機の運転開始又は／及び運転停止をすることができ、使用勝手が良い。
【００１５】
以下に、本発明の実施の形態について、図面を参照しながら説明する。なお、この実施に形態により本発明が限定されるものではない。
【００１６】
（実施の形態１）
図１は、本発明の第１の実施の形態における空気調和機の制御システムの構成図を示すものである。
【００１７】
図１において、空気調和機１１は、音声認識装置９と、前記音声認識装置９により認識された内容に基づいて空気調和機１１の運転を制御する空調制御装置１０とを備えている。
【００１８】
音声認識装置９は、空気調和機１１に内蔵され、前記音声認識装置９は、あらかじめユーザーが登録した電話の着信音を認識して、その電話の着信音を合図に前記空調制御装置１０に運転開始の指令を送信する装置である。
【００１９】
以上のように構成された空気調和機について、以下その動作、作用を説明する。
【００２０】
まず、ユーザーは、音声認識装置９に、あらかじめ固定電話１２あるいは携帯電話１３の着信音を登録する。
【００２１】
次に、空気調和機１１の近傍に固定電話１２あるいは携帯電話１３を設置しておき、外出先等から空気調和機１１を遠隔操作するときに、前記固定電話１２あるいは前記携帯電話１３に電話する。
【００２２】
そして、固定電話１２あるいは携帯電話１３から着信音が発せられると、音声認識装置９が、その着信音を認識し、それを合図に、空調制御装置１０に運転開始の指令を送信し、前記空気調和機１１の運転を開始する。
【００２３】
以上のように、本実施の形態によれば、音声認識装置９と、音声認識装置９により認識された内容に基づいて制御する空調制御装置１０を備えた空気調和機１１において、音声認識装置９は、あらかじめユーザーが登録した電話の着信音を認識して、その着信音を合図に空調制御装置１０に運転開始の指令を送信するようにしたことにより、空気調和機１１の近傍に予め登録した固定電話１２あるいは携帯電話１３を置き、外出先等から固定電話１２あるいは携帯電話１３を呼び出し鳴らすだけで、空気調和機１１の運転開始ができるので、専用のコントローラと電話回線が必要なく、手間と費用がかからず、手軽に遠隔操作を行うことができる。
【００２４】
（実施の形態２）
図２は、本発明の第２の実施の形態における空気調和機の制御システムの構成図を示すものである。
【００２５】
なお、上記第１の実施の形態と同一部分については、同一符号を付してその説明を省略する。
【００２６】
図２において、音声認識装置１４は、あらかじめユーザーが登録した電話の着信音を認識して、電話の着信音を合図に、空調制御装置１０に、運転開始、運転停止の指令を交互に送信する装置である。
【００２７】
以上のように構成された空気調和機について、以下その動作、作用を説明する。
【００２８】
まず、ユーザーは、音声認識装置１４に、あらかじめ固定電話１２あるいは携帯電話１３の着信音を登録する。次に、空気調和機１１の近傍に固定電話１２あるいは携帯電話１３を置き、外出先等から固定電話１２あるいは携帯電話１３を呼び出して鳴らす。この時、音声認識装置１４は、電話の着信音を合図に空調制御装置１０に運転開始の指令を送信し、それを受けて空調制御装置１０が空気調和機１１の運転を開始する。
【００２９】
次に、空気調和機１１の運転を停止する場合は、外出先等から固定電話１２あるいは携帯電話１３を再び呼び出して鳴らす。この時、音声認識装置１４は、電話の着信音を合図に空調制御装置１０に運転停止の指令を送信し、それを受けて空調制御装置１０が空気調和機１１の運転を停止する。
【００３０】
以上のように、本実施の形態によれば、音声認識装置１４は、空気調和機１１の近傍に置かれた固定電話１２あるいは携帯電話１３の着信音を認識して、その着信音を合図に、空調制御装置１０に、運転開始、運転停止の指令を交互に送信して、空気調和機１１の運転開始と運転停止が交互にできるので、専用のコントローラと電話回線が必要なく、手間と費用がかからず、手軽に空気調和機の運転の開始と停止の遠隔操作を行うことができる。
【００３１】
（実施の形態３）
図３は、本発明の第３の実施の形態における空気調和機の制御システムの構成図を示すものである。
【００３２】
なお、上記実施の形態と同一部分については、同一符号を付してその説明を省略する。
【００３３】
本実施の形態は、図３に示すように、音声認識装置１５に、あらかじめ登録した電話の着信音の鳴った時刻を記憶する記憶手段１５ａを設け、あらかじめ登録した電話の着信音を認識し、かつ、電話の最初の着信音が鳴った時刻から所定の時間内に所定の回数、電話の着信音が鳴った場合にのみ空調制御装置１０に運転開始あるいは運転停止の指令を送信するようにしたものである。
【００３４】
以上のように構成された空気調和機について、以下その動作、作用を説明する。
【００３５】
まず、ユーザーは、音声認識装置１５に、あらかじめ固定電話１２あるいは携帯電話１３の着信音を登録する。次に、空気調和機１１の近傍に固定電話１２あるいは携帯電話１３を置き、外出先等から固定電話１２あるいは携帯電話１３を、所定の時間内に所定の回数鳴らす。
【００３６】
この時音声認識装置１５は、電話の着信音を合図に空調制御装置１０に運転開始あるいは運転停止の指令を送信し、空気調和機１１は運転を開始あるいは停止する。
【００３７】
以上のように、本実施の形態によれば、音声認識装置１５は、あらかじめ登録した電話の着信音を認識して、かつ、記憶手段１５ａに電話の最初の着信音の鳴った時刻を記憶し、所定の時間内に所定の回数、電話の着信音が鳴った場合にのみ空調制御装置１０に運転開始あるいは運転停止の指令を送信することにより、空気調和機１１の近傍に置いた固定電話１２あるいは携帯電話１３を所定の時間内に所定の回数鳴らすだけで、空気調和機１０の運転開始あるいは運転停止を確実に行えると共に、他人からの不用意な電話による着信音で空気調和機１１が運転開始あるいは運転停止することを防げることができ、しかも専用のコントローラや電話回線が必要なく、手間と費用がかからず、手軽に空気調和機の遠隔操作を行うことができる。
【００３８】
（実施の形態４）
図４は、本発明の第４の実施の形態における空気調和機の制御システムの構成図を示すものである。なお、上記実施の形態と同一部分については、同一符号を付してその説明を省略する。
【００３９】
本実施の形態は、図４に示すように、音声認識装置１６を内蔵したワイヤードリモコン１７を備え、前記ワイヤードリモコン１７を空調制御装置１０に接続し、音声認識装置１６の指令が、前記ワイヤードリモコン１７を通じて前記空調制御装置１０に送信されるようにしたものである。
【００４０】
以上のように構成された空気調和機について、以下その動作、作用を説明する。
【００４１】
まず、ユーザーは、音声認識装置１６に、あらかじめ固定電話１２あるいは携帯電話１３の着信音を登録する。次に、ワイヤードリモコン１７の近傍に固定電話１２あるいは携帯電話１３を置き、外出先等から固定電話１２あるいは携帯電話１３を鳴らすことで、前記空気調和機１１の運転開始あるいは運転停止ができる。
【００４２】
以上のように、本実施の形態によれば、音声認識装置１６の指令は、音声認識装置１６を内蔵したワイヤードリモコン１７を通じて空調制御装置１０に送信するようにし、ワイヤードリモコン１７の近傍に置いた固定電話１２あるいは携帯電話１３を、外出先等から呼び出し鳴らすことにより、空気調和機１１の運転開始あるいは運転停止ができるので、専用のコントローラと電話回線が必要なく、手間と費用がかからず、手軽に遠隔操作を行うことができる。
【００４３】
（実施の形態５）
図５は、本発明の第５の実施の形態における空気調和機の制御システムの構成図を示すものである。
【００４４】
なお、上記実施の形態と同一部分については、同一符号を付してその説明を省略する。
【００４５】
本実施の形態は、図５に示すように、音声認識装置１８を内蔵し、かつ空調制御装置１０と通信可能なワイヤレスリモコン１９を設け、音声認識装置１８の指令は、前記ワイヤレスリモコン１９を通じて空調制御装置１０に送信されるようにしたものである。
【００４６】
以上のように構成された空気調和機について、以下その動作、作用を説明する。
【００４７】
まず、ユーザーは、音声認識装置１８に、あらかじめ固定電話１２あるいは携帯電話１３の着信音を登録する。
【００４８】
次に、ワイヤレスリモコン１９の近傍に固定電話１２あるいは携帯電話１３を置き、外出先等から固定電話１２あるいは携帯電話１３を呼び出して鳴らすことにより、空気調和機１１の運転の開始又は／及び停止することができる。
【００４９】
以上のように、本実施の形態によれば、専用のコントローラや電話回線が必要なく、手間と費用がかからず、手軽に空気調和機１１の遠隔操作を行うことができる。
【産業上の利用可能性】
【００５０】
以上のように、本発明にかかる空気調和機は、あらかじめ登録した電話の着信音を認識して、その電話の着信音を合図に空気調和機の運転開始あるいは運転停止ができるので、制御装置を備えた各種電気機器、装置の遠隔操作にも適用できる。
【図面の簡単な説明】
【００５１】
【図１】本発明の実施の形態１における空気調和機の制御システムの構成図
【図２】本発明の実施の形態２における空気調和機の制御システムの構成図
【図３】本発明の実施の形態３における空気調和機の制御システムの構成図
【図４】本発明の実施の形態４における空気調和機の制御システムの構成図
【図５】本発明の実施の形態５における空気調和機の制御システムの構成図
【図６】従来の空気調和機の制御システムの構成図
【図７】従来の空気調和機の制御システムの構成図
【符号の説明】
【００５２】
９、１４、１５、１６  音声認識装置
１０  空調制御装置
１１  空気調和機
１２  固定電話（電話）
１３  携帯電話（電話）
１７  ワイヤードリモコン
１８  音声認識装置
１９  ワイヤレスリモコン
【図１】
2006200810.tif 000003
【図２】
2006200810.tif 000004
【図３】
2006200810.tif 000005
【図４】
2006200810.tif 000006
【図５】
2006200810.tif 000007
【図６】
2006200810.tif 000008
【図７】
2006200810.tif 000009